(57)【特許請求の範囲】
【請求項１】
上面を開口したショーケース本体を備え、ショーケース本体内の底面を平面状に形成し、その上方に任意の商品を収納するようにしたショーケースにおいて、
前記ショーケース本体内の底面上に配置してそれぞれショーケース本体の前後方向及び幅方向の少なくとも一方向に配列可能であって、ショーケース本体内から除去可能な複数の四角形状の箱状である商品載置部材を備え、
各商品載置部材を、前後方向及び幅方向に上下一段に複数で配列した際にショーケース本体の底面をほぼ隙間なく覆うとともに各商品載置部材による商品載置面が一様な平面状をなす寸法に形成し、
各商品載置部材をショーケース本体内の底面上の任意の位置に移動可能とした
ことを特徴とするショーケース。
【請求項２】
前記各商品載置部材を互いに積み重ね可能に形成した
ことを特徴とする請求項１記載のショーケース。
【請求項３】
前記各商品載置部材をそれぞれ中空に形成し、
各商品載置部材の内部に蓄冷剤を収容した
ことを特徴とする請求項１または２記載のショーケース。
【発明の詳細な説明】
【０００１】
【発明の属する技術分野】
本発明は、スーパーマーケットやコンビニエンスストア等の店舗に設置されるショーケースに関するものである。
【０００２】
【従来の技術】
一般に、店舗の食品売場等に設置されるショーケースとしては、上面を開口したショーケース本体と、ショーケース本体内を冷却する冷却装置とを備え、ショーケース本体内の底面を平面状に形成し、その上方に冷蔵または冷凍の商品を収納するようにしたものが知られている。
【０００３】
【発明が解決しようとする課題】
ところで、前記ショーケースでは、収納商品の種類、大きさ、数量等、商品の収納状況に応じて収納商品の高さ位置を調整したい場合があるが、ショーケース本体内の底面は一様な平面状に形成されているため、例えば奥側の商品が目立たなくなっている場合には、図５に示すようにショーケース本体１の底面板２を底上げしたり、前方に傾斜させるなどしている。
【０００４】
しかしながら、底面板２の下方は通風路３になっているため、底面板２が通常の位置に配置されていないと、通風路３に隙間が生じて空気が出入りしたり、場合によっては隙間から通風路３内に商品が落下するなどの不具合がある。また、底面板３の傾斜や底上げ程度では十分な展示効果の改善を図ることはできなかった。
【０００５】
本発明は前記問題点に鑑みてなされたものであり、その目的とするところは、商品の収納状況に応じて商品の展示効果を容易且つ確実に高めることのできるショーケースを提供することにある。
【０００６】
【課題を解決するための手段】
本発明は前記目的を達成するために、請求項１では、上面を開口したショーケース本体を備え、ショーケース本体内の底面を平面状に形成し、その上方に任意の商品を収納するようにしたショーケースにおいて、前記ショーケース本体内の底面上に配置してそれぞれショーケース本体の前後方向及び幅方向の少なくとも一方向に配列可能であって、ショーケース本体内から除去可能な複数の四角形状の箱状である商品載置部材を備え、各商品載置部材を、前後方向及び幅方向に上下一段に複数で配列した際にショーケース本体の底面をほぼ隙間なく覆うとともに各商品載置部材による商品載置面が一様な平面状をなす寸法に形成し、各商品載置部材をショーケース本体内の底面上の任意の位置に移動可能としている。
【０００７】
これにより、各商品載置部材を任意の位置に移動させることにより、ショーケース本体内の商品載置面の高さを部分的に変えることができる。
【０００８】
また、請求項２では、請求項１記載のショーケースにおいて、前記各商品載置部材を互いに積み重ね可能に形成している。
【０００９】
これにより、請求項１の作用に加え、商品載置部材を任意に積み重ねることにより、ショーケース本体内の商品載置面の高さをより多様に変えることが可能となる。
【００１０】
また、請求項３では、請求項１または２記載のショーケースにおいて、前記各商品載置部材をそれぞれ中空に形成し、各商品載置部材の内部に蓄冷剤を収容している。
【００１１】
これにより、請求項１または２の作用に加え、各商品載置部材内の蓄冷剤によってもショーケース本体内が冷却される。
【００１２】
【発明の実施の形態】
図１乃至４は本発明の一実施形態を示すもので、図１はショーケースの全体斜視図、図２はその側面断面図、図３はその全体斜視図、図４は商品載置板の側面断面図である。
【００１３】
このショーケースは、上面を開口したショーケース本体１０と、ショーケース本体１０内に配置された商品載置部材としての複数の敷板２０とを備えている。
【００１４】
ショーケース本体１０は、その前面側下部、底面側及び背面側を断熱壁１１によって囲まれ、左右両側面はそれぞれ透明ガラスからなる側板１２によって覆われている。ショーケース本体１０の前面側上部はガラス製の透明板１３によって形成され、透明板１３の上端側は後方に向かって斜め上方に屈曲している。また、前面側断熱壁１１の前面は化粧板１４によって覆われており、前面側断熱壁１１及び化粧板１４によって前面壁を構成している。更に、ショーケース本体１０の上面後部には上面板１５が設けられ、上面板１５の下方には蛍光灯１５ａが取付けられている。
【００１５】
ショーケース本体１０内には内面板としての前面板１６、底面板１７及び背面板１８が設けられ、これらの部材と透明板１３及び断熱壁１１の間には通風路１９が形成されている。また、前面板１６は透明ガラスによって形成されている。背面板１８の上部には斜め上方を臨む傾斜部１８ａが設けられ、傾斜部１８ａはショーケース本体１０内の反対側（通風路１９側）に傾斜している。通風路１９内には冷却器１９ａ及び送風機１９ｂが設けられ、ショーケース本体１０の上面開口部の前端側に設けた空気吸入口１０ａから通風路１９内に吸入した空気を冷却器１９ａによって冷却し、ショーケース本体１０の上面開口部の後端側に設けた空気吐出口１０ｂから吐出するようになっている。
【００１６】
ショーケース本体１０の下部には機械室１０ｃが設けられ、機械室１０ａ内には冷却器１９ａに接続された冷凍機器（図示せず）等が収容されている。
【００１７】
各敷板２０は中空の四角形の箱状に形成され、ショーケース本体１０の底面板１７上に配置されるようになっている。各敷板２０は、ショーケース本体１０の前後方向及び幅方向にそれぞれ計３個ずつ配列すると、底面板１７をほぼ隙間なく覆う寸法に形成されている。また、各敷板２０はそれぞれ底面板１７上の任意の位置に移動させることができ、互いに積み重ねることも可能である。更には、新たな敷板２０をショーケース本体１０内に追加することもでき、未使用のものをショーケース本体１０内から外部に除去することも可能である。また、各敷板２０の上面には指先を挿入可能な孔２０ａが設けられ、各敷板２０を容易に持ち上げることができるようになっている。
【００１８】
以上のように構成されたショーケースにおいては、各敷板２０を前後方向及び幅方向にそれぞれ計３個ずつ上下一段に配列することにより、各敷板２０による商品載置面が一様な平面状になり、各敷板２０上に商品が上下均一な載置位置で収納される。また、収納商品の種類、大きさ、数量等、商品の収納状況に応じて収納商品の高さ位置を調整したい場合には、各敷板２０を任意の位置に移動することにより、商品載置面の高さを部分的に変えることができる。例えば、図１及び図２に示すように最前列の敷板２０を最後列の敷板２０の上に移動することにより、前列から後列に向かって敷板２０が一段ずつ高くなるような商品載置面を形成することができる。また、図３に示すように右列の敷板２０を中央列の敷板２０の上に移動することにより、右列、左列、中央列の順に敷板２０が一段ずつ高くなるような商品載置面を形成することができる。尚、各敷板２０の移動だけでなく、敷板２０を適宜追加または除去することにより、商品載置面を多様に形成することが可能である。
【００１９】
このように、本実施形態のショーケースによれば、ショーケース本体１０の前後方向及び幅方向に配列可能な複数の敷板２０を備え、各敷板２０を任意の位置に移動または積み重ねることにより、商品載置面の高さを部分的に変えられるようにしたので、収納商品の種類、大きさ、数量等、商品の収納状況に応じて収納商品の高さ位置を的確に調整することができ、収納商品の展示効果を容易且つ確実に高めることができる。
【００２０】
尚、前記実施形態では、各敷板２０をショーケース本体１０の前後方向及び幅方向にそれぞれ配列可能に形成したものを示したが、各敷板を横長または縦長に形成して前後方向または幅方向の一方のみに配列するようにしてもよい。
【００２１】
また、前記実施形態では各敷板２０を中空状に形成しているが、図４に示すように敷板２０の内部に周知の蓄冷剤２１を収容するようにすれば、蓄冷剤２１によってもショーケース本体１０内を冷却することができ、冷却負荷が高い場合でも冷却能力の低下を確実に防止することができる。この場合、各敷板２０の蓄冷剤２１はショーケース本体１０内の冷気によって蓄冷される。
【００２２】
【発明の効果】
以上説明したように、請求項１のショーケースによれば、ショーケース本体内の商品載置面上に商品を上下均一な載置位置で収納したり、或いはショーケース本体内の商品載置面の高さを部分的に変えることができるので、収納商品の種類、大きさ、数量等、商品の収納状況に応じて収納商品の高さ位置を的確に調整することができ、収納商品の展示効果を容易且つ確実に高めることができる」という優れた効果を発揮するものである。
【００２３】
また、請求項２のショーケースによれば、請求項１の効果に加え、ショーケース本体内の商品載置面の高さをより多様に変えることができるので、商品の収納状況に的確に対応することができる。
【００２４】
また、請求項３のショーケースによれば、請求項１または２の効果に加え、各商品載置部材の蓄冷剤によってもショーケース本体内を冷却することができるので、冷却負荷が高い場合でも冷却能力の低下を確実に防止することができる。
【図面の簡単な説明】
【図１】本発明の一実施形態を示すショーケースの一部切り欠き全体斜視図
【図２】ショーケースの側面断面図
【図３】敷板の他の配置例を示すショーケースの全体斜視図
【図４】敷板の側面断面図
【図５】従来例を示すショーケースの側面断面図
【符号の説明】
１０…ショーケース本体、２０…敷板、２１…蓄冷剤。
【図１】
0004409117.tif 000002
【図２】
0004409117.tif 000003
【図３】
0004409117.tif 000004
【図４】
0004409117.tif 000005
【図５】
0004409117.tif 000006